(57)【要約】【課題】画像データに関する所定の条件に基づき、読み込まれた画像データを複数の記録メディアに対応するように振り分けることが可能な画像処理装置、および画像処理プログラムを提供する。【解決手段】写真処理注文受付装置２０は、画像入力部４２と、コマ画像管理部４４と、を備えている。画像入力部４２は、撮影コマ画像の画像データを読み込む。コマ画像管理部４４は、撮影コマ画像に関する情報に基づき、画像入力部４２において読み込まれた撮影コマ画像の画像データを複数の記録メディアＭに対応するように振り分ける。【選択図】図２
2008172684.tif 000002
【特許請求の範囲】
【請求項１】
入力された画像データを複数の記録メディアに振り分ける画像処理装置であって、
前記画像データを読み込むデータ入力部と、
少なくとも前記画像データに関する所定の条件に基づき、前記データ入力部において読み込まれた前記画像データを前記複数の記録メディアに対応するように振り分ける振り分け部と、
を備えている画像処理装置。
【請求項２】
前記振り分け部によって振り分けられた前記画像データの情報を表示する表示部をさらに備えている、
請求項１に記載の画像処理装置。
【請求項３】
前記振り分け部によって振り分けられた前記画像データを前記複数の記録メディアに記録する記録部をさらに備えている、
請求項１または２に記載の画像処理装置。
【請求項４】
前記所定の条件には、前記画像データの日付情報に関する条件が含まれる、
請求項１から３のいずれか１項に記載の画像処理装置。
【請求項５】
前記所定の条件には、前記画像データのファイル名に関する条件が含まれる、
請求項１から４のいずれか１項に記載の画像処理装置。
【請求項６】
前記所定の条件には、前記画像データのフォルダ名に関する条件が含まれる、
請求項１から５のいずれか１項に記載の画像処理装置。
【請求項７】
前記振り分け部は、前記画像データの数を均等化して振り分ける、
請求項１から６のいずれか１項に記載の画像処理装置。
【請求項８】
入力された画像データを複数の記録メディアに振り分ける画像処理プログラムであって、
前記画像データを読み込む第１ステップと、
少なくとも前記画像データに関する所定の条件に基づき、前記第１ステップにおいて読み込まれた前記画像データを前記複数の記録メディアに対応するように振り分ける第２ステップと、
を備えている画像処理プログラム。
【発明の詳細な説明】
【技術分野】
【０００１】
本発明は、入力された画像データを振り分ける画像処理装置、および画像処理プログラムに関する。
【背景技術】
【０００２】
近年、写真ＤＰ店では、ユーザから提示された写真フィルムからフィルムスキャナを用いてデジタル化された撮影コマ画像を読み取ったり、デジタルカメラで直接デジタル化された撮影コマ画像を格納しているメモリカードからこのコマ画像を読み取ったりして取得した撮影コマ画像をＣＤ−Ｒ、ＣＤ−ＲＷ、ＤＶＤ−Ｒ、ＤＶＤ−ＲＡＭ、ＤＶＤ−ＲＷなどの記録メディアに記録するメディア出力サービスが展開されている（特許文献１参照）。
【特許文献１】特開２００３−３４５８９３号公報（平成１５年１２月５日公開）
【発明の開示】
【発明が解決しようとする課題】
【０００３】
しかしながら、上記従来の画像処理装置（写真処理システム）では、以下のような問題点を有している。
すなわち、入力された画像データの量が多い場合には、複数の記録メディアに上記画像データを振り分けて記録する必要がある。
このため、入力された画像データを順次記録メディアに記録していくと、最後の記録メディアに記録される画像データの量が極端に少なくなる場合が生じるので、上記画像データの振り分け方法には改善の余地があった。
【０００４】
本発明の課題は、画像データに関する所定の条件に基づき、読み込まれた画像データを複数の記録メディアに対応するように振り分けることが可能な画像処理装置、および画像処理プログラムを提供することにある。
【課題を解決するための手段】
【０００５】
第１の発明に係る画像処理装置は、入力された画像データを複数の記録メディアに振り分ける画像処理装置であって、データ入力部と、振り分け部と、を備えている。データ入力部は、画像データを読み込む。振り分け部は、少なくとも画像データに関する所定の条件に基づき、データ入力部において読み込まれた画像データを複数の記録メディアに対応するように振り分ける。
【０００６】
ここでは、例えば、複数の記録メディアごとの容量に対する画像データの容量等のような画像データに関する所定の条件に基づき画像データを複数の記録メディアに対応するように振り分ける。
これにより、画像データを複数の記録メディアに対して適切に振り分けることができる。
この結果、従来と比較して、複数の記録メディアに記録させる画像データの振り分け方法を改善することができる。
【０００７】
第２の発明に係る画像処理装置は、表示部をさらに備えている。表示部は、振り分け部によって振り分けられた画像データの情報を表示する。
このため、振り分けられた画像データの情報を表示して、ユーザが参照することができる。
この結果、ユーザは複数の記録メディアに対してどのように画像データが振り分けられているのかを確認することができる。
【０００８】
第３の発明に係る画像処理装置は、第１または第２の発明に係る画像処理装置であって、記録部をさらに備えている。記録部は、振り分け部によって振り分けられた画像データを複数の記録メディアに記録する。
これにより、例えば、ユーザによって選択された振り分け方法によって複数の記録メディアに対応するように振り分けられた画像データを複数の記録メディアに記録させることができる。
この結果、例えば、複数の記録メディアのうち、最後の記録メディアに記録される画像データの量が極端に少なくなるといったことを防止することができる。
【０００９】
第４の発明に係る画像処理装置は、第１から第３の発明のいずれか１つに係る画像処理装置であって、所定の条件には、画像データの日付情報に関する条件が含まれる。
このため、日付情報に基づき画像データを複数の記録メディアに対応するように振り分けることができる。
この結果、例えば、同じ日付で撮影された画像データ群を１つの記録メディアに記録させるといったことが可能になる。
【００１０】
第５の発明に係る画像処理装置は、第１から第４の発明のいずれか１つに係る画像処理装置であって、所定の条件には、画像データのファイル名に関する条件が含まれる。
このため、ファイル名に基づき画像データを複数の記録メディアに対応するように振り分けることができる。
【００１１】
第６の発明に係る画像処理装置は、第１から第５の発明のいずれか１つに係る画像処理装置であって、所定の条件には、画像データのフォルダ名に関する条件が含まれる。
このため、フォルダ名に基づき画像データを複数の記録メディアに対応するように振り分けることができる。
【００１２】
第７の発明に係る画像処理装置は、第１から第６の発明のいずれか１つに係る画像処理装置であって、振り分け部は、画像データの数を均等化して振り分ける。
このため、複数の記録メディアに記録される画像データの数を均等化して、複数の記録メディアに対応するように振り分けることができる。
この結果、例えば、最初の記録メディアに記録する画像データの数と、最後の記録メディアに記録する画像データの数をほぼ同じぐらいにすることができる。
【００１３】
第８の発明に係る画像処理プログラムは、入力された画像データを複数の記録メディアに振り分ける画像処理プログラムであって、第１ステップと、第２ステップと、を備えている。第１ステップは、画像データを読み込む。第２ステップは、少なくとも画像データに関する所定の条件に基づき、第１ステップにおいて読み込まれた画像データを複数の記録メディアに対応するように振り分ける。
【００１４】
ここでは、例えば、複数の記録メディアごとの容量に対する画像データの容量等のような画像データに関する所定の条件に基づき画像データを複数の記録メディアに対応するように振り分ける。
これにより、画像データを複数の記録メディアに対して適切に振り分けることができる。
【００１５】
この結果、従来と比較して、複数の記録メディアに記録させる画像データの振り分け方法を改善することができる。
【発明の効果】
【００１６】
第１の発明に係る画像処理装置によれば、従来と比較して、複数の記録メディアに記録させる画像データの振り分け方法を改善することができる。
第２の発明に係る画像処理装置によれば、ユーザは複数の記録メディアに対してどのように画像データが振り分けられているのかを確認することができる。
第３の発明に係る画像処理装置によれば、例えば、複数の記録メディアのうち、最後の記録メディアに記録される画像データの量が極端に少なくなるといったことを防止することができる。
【００１７】
第４の発明に係る画像処理装置によれば、例えば、同じ日付で撮影された画像データ群を１つの記録メディアに記録させるといったことが可能になる。
第５の発明に係る画像処理装置によれば、ファイル名に基づき画像データを複数の記録メディアに対応するように振り分けることができる。
第６の発明に係る画像処理装置によれば、フォルダ名に基づき画像データを複数の記録メディアに対応するように振り分けることができる。
【００１８】
第７の発明に係る画像処理装置によれば、例えば、最初の記録メディアに記録する画像データの数と、最後の記録メディアに記録する画像データの数をほぼ同じぐらいにすることができる。
第８の発明に係る画像処理プログラムによれば、従来と比較して、複数の記録メディアに記録させる画像データの振り分け方法を改善することができる。
【発明を実施するための最良の形態】
【００１９】
以下、本発明の一実施形態に係る写真処理システム１について図１〜図５を用いて説明すれば以下の通りである。
＜写真処理システム１全体の構成＞
図１に示すように、写真処理システム１は、いわゆるデジタルミニラボと呼ばれる写真プリント装置１００と、写真プリント装置１００とデータ伝送ラインで接続された写真処理注文受付装置（画像処理装置）２０と、を備えている。
【００２０】
写真処理注文受付装置２０は、デジタルカメラやカメラ付き携帯電話などのデジタル撮影機器で使用されたメモリカード等の記録メディアに格納された撮影コマ画像（正確には撮影コマ画像の画像データと呼ぶべきであるが撮影コマ画像と略称している）を取り込む。そして、これらを一覧表示してユーザによるプリント枚数などの写真プリント出力サービスの注文入力及びメディア出力サービスの注文入力を行う写真処理注文操作画面を表示する。
【００２１】
なお、本実施形態では、写真処理注文受付装置２０において受け付けけられた写真処理注文情報（撮影コマ画像と注文属性データ;この注文属性データには例えばプリントサイズやプリント枚数、インデックスプリントの有無、メディア出力サービスの種類、さらには場合によって色補正指示パラメータなども含まれる）は、写真プリント装置１００に送られる。そして、上記注文情報に従って写真プリントＰ、インデックスプリントＩＰ、記録メディアＭ等が出力される。本実施形態では、記録メディアＭとして、ＣＤ‐ＲまたはＤＶＤ-Ｒを用いるが、以下においては主にＣＤ-Ｒを用いる場合について説明する（記録メディアＭとして、ＳＤカード等の他の記録媒体を用いても良い）。
【００２２】
＜写真プリント装置１００＞
写真プリント装置１００は、図１に示すように、操作ステーション１００Ａと、プリントステーション１００Ｂと、記録装置１００Ｃと、を備えている。
プリントステーション１００Ｂは、印画紙Ｐに対して露光処理と現像処理とを行う。
記録装置１００Ｃは、空の記録メディアＭに撮影コマ画像などのデータを記録する。
【００２３】
操作ステーション１００Ａは、写真処理注文受付装置２０から受け取った写真処理注文情報に含まれている撮影コマ画像に対して注文属性データに基づいて必要な画像処理を施してプリントデータとしてプリントステーション１００Ｂに転送する。また、入力された撮影コマ画像や画像処理を施された撮影コマ画像をメディア記録するためにそのデータを記録装置１００Ｃに転送する。
＜写真処理注文受付装置２０＞
写真処理注文受付装置２０は、図１に示すように、カードドライブユニット２１、ＵＳＢケーブル２２、キーボード２３、カラーモニタ（表示部）２４、タッチパネル２５、プリンタ２６等を備えている。
【００２４】
カードドライブユニット２１は、デジタルカメラで使用されている各種メモリカードから撮影コマ画像を取り込む。ＵＳＢケーブル２２は、カメラ付き携帯電話に内蔵されているメモリから撮影画像を受け取る。
キーボード２３は、ユーザ操作入力部として機能する。カラーモニタ２４は、入力した撮影コマ画像の一覧を含む各種情報を表示する。なお、カラーモニタ２４には、タッチパネル２５が装着されている。
【００２５】
プリンタ２６は、各種情報シートを出力する。これらの各種機器の制御や各種データの処理はこの写真処理注文受付装置２０に内蔵されているコンピュータシステムとして機能するコントローラ４０によって行われる。
コントローラ４０は、図２および図３に示すように、ハードウエアやソフトウエアによって構築される各機能ブロックとして、記憶デバイス４１、画像入力部（データ入力部）４２、ＧＵＩ部４３、コマ画像管理部（振り分け部）４４、画像処理部４５、データ量算出部４６、記録メディア必要枚数決定部４７、注文情報作成部４８を備えている。
【００２６】
画像入力部４２は、入力された撮影コマ画像を読み込んで記憶デバイス４１に展開させる。
ＧＵＩ部４３は、撮影コマ画像入力の操作画面やプリト下注文やメディア出力注文の操作画面などを含むグラフィック化された操作画面の作成や、そのようなグラフィック操作画面を介してユーザ操作入力から制御コマンドや管理データを生成するグラフィックユーザインターフェース（以下ＧＵＩ と略称する）を構築する。
【００２７】
コマ画像管理部４４は、入力された撮影コマ画像を管理する。
画像処理部４５は、入力された撮影コマ画像から操作画面用の縮小版撮影コマ画像を生成するなどの画像処理をコマ画像管理部４４の管理の下で行う。
データ量算出部４６は、メディア出力サービスが要求された際に入力撮影コマ画像に関して記録装置ｌ００Ｃにおいて記録メディアＭに記録されるデータ量を算出する。
【００２８】
記録メディア必要枚数決定部４７は、データ量算出部４６で算出されたデータ量に基づいて記録メディアの必要枚数を決定する。
本実施形態において、コマ画像管理部４４は、記録メディア必要枚数決定部４７において決定された記録メディアＭの必要枚数を参照する。さらに、各撮影コマ画像に含まれる日付情報が古いものから順に複数の記録メディアＭに対応するように振り分けて撮影コマ画像選択画面７０（図４参照）（後段にて詳述）に表示する。なお、コマ画像管理部４４における各撮影コマ画像の振り分け方法については後段にて詳述する。
【００２９】
また、メディア出力サービス、すなわちＣＤ-ＲあるいはＤＶＤ-Ｒへの出力サービスを行なう場合には、各撮影コマ画像に含まれる日付情報に基づいて各記録メディアＭへ出力（記録）する撮影コマ画像の画像データの数を均等化して振り分ける（後段にて詳述）。なお、記録メディアＭの必要枚数は、記録メディア必要枚数決定部４７によって算出される。
【００３０】
これにより、各記録メディアＭに出力される画像データの数が均等化される。
注文情報作成部４８は、注文入力操作画面を通じて入力された内容に基づいて前述した写真処理注文情報を作成して、通信ポートを介して写真プリント装置１００に転送する。さらに、注文情報作成部４８は、注文内容とプリント料金を印字したプリント注文受領書などをプリンタ２６から発行する。
【００３１】
画像入力部４２はメモリカードが取り込んだ撮影コマ画像にサムネイル画像（低解像度データ）が含まれている場合には、記憶デバイス４１においてモニタ２４での一覧表示などの目的で使用するため撮影コマ画像の本データ（高解像度データ）とリンクしたアドレスに上記サムネイル画像を展開させる。また、サムネイル画像が含まれていない場合には、本データから縮小画像を作り出してサムネイル画像として同様に本データのアドレスとリンクしたアドレスに展開させる。なお、記憶デバイス４１における撮影コマ画像やサムネイル画像のアドレスはコマ画像管理部４４によって管理されている。
【００３２】
ＧＵＩ部４３は、図４に示すように、撮影コマ画像選択画面７０等の操作画面を生成する操作画面生成部４３ａや種々の操作画面を通じて取得した操作コマンドを管理する操作コマンド管理部４３ｂを備えている。
＜撮影コマ画像選択画面７０＞
ここでは、図４に示すカラーモニタ２４に表示される撮影コマ画像選択画面７０について説明する。
【００３３】
撮影画像表示枠７１は、図４に示すように、６コマ表示となっている。なお、各撮影コマ画像は、各撮影コマ画像の画像データに含まれる日付情報に基づいて、振り分けられて各撮影画像表示枠７１に順次表示される。より、具体的には、上記日付情報が古い撮影コマ画像から新しい撮影コマ画像へと順に表示される。
各撮影画像表示枠７１の上側には、この撮影画像表示枠７１に表示されている撮影コマ画像のコマ番号を表示するコマ識別コード表示欄７２が配置されている。
【００３４】
このコマ識別コード表示欄７２の右側には、記録メディア特定名表示枠７３が配置されている。そして、記録メディア特定名表示枠７３は、撮影画像表示枠７１に表示されている撮影コマ画像が記録される記録メディアＭを特定する記録メディア特定名を表示する。
なお、図４に示すように、撮影コマ画像が「Ｎｏ．１」（指標Ｒ）と名付けられた１枚目の記録メディアＭに記録される場合、記録メディア特定名表示枠７３は「Ｎｏ．１」と表示される。また、「Ｎｏ．２」（指標Ｒ）と名付けられた二枚目の記録メディアＭに記録される場合、記録メディア特定名表示枠７３には「Ｎｏ．２」と表示される。
【００３５】
なお、各撮影画像表示枠７１の下側には色濃度補正設定エリア７４とプリント枚数設定エリア７５が配置されている。色濃度補正設定エリア７４には「イエロー」 、「マゼンタ」、「シアン」、「濃度」の設定枠が設けられている。なお、上記設定枠の「Ｎ」はニュートラルを表し補正なしを意味している。プリント枚数設定エリア７５にはプリント枚数を入力する入力枠が設けられており、この入力枠に「ＰＡＳＳ」が表示された場合その撮影画像はプリント対象外となっていることを意味している。撮影コマ画像選択画面７０の下方には、写真サービス表示欄７６が配置されており、この写真注文で選択された写真サービス名は、この注文に含まれているプリントサイズやインデックスプリントのタイプやメディア出力サービスにおけるメディア種類などが示されている。
【００３６】
なお、メディア出力サービス表示枠７６ａは、写真サービス表示欄７６の右側に位置しており、ユーザがメディア出力サービスを選択している場合には、選択された記録メディアが表示される。ここでは、メディア出力サービス表示枠７６ａには「ＣＤ-Ｒ」と表示されていることからもわかるように、ＣＤ-Ｒを記録メディアＭとして選択している。
ページ表示枠７７は、撮影コマ画像選択画面７０の右下に配置されており、上記６コマ表示されている撮影コマ画像の画像データを表示する撮影コマ画像選択画面７０が何ページ目に該当しているのかを表示する。ここで言うページとは、撮影コマ画像を６コマずつ表示する各撮影コマ画像選択画面の意味である。より具体的には、図４に示すように、ページ表示枠７７には「３／５」と表示されているが、これは撮影コマ画像を上述のように６コマ表示した場合に、ページ数が全体で５ページあり、表示中のページが３ページ目であることを示している。
【００３７】
＜各撮影コマ画像の振り分け方法＞
本実施形態において、各撮影コマ画像の振り分け方法について、図４に示す撮影コマ画像選択画面７０および図７に示すフローチャートを用いて説明すれば以下の通りである。
ステップＳ１では、画像入力部４２は入力された撮影コマ画像を読み込む。
ステップＳ２では、データ量算出部４６において算出された各撮影コマ画像全体のデータ量に基づいて、記録メディア必要枚数決定部４７が必要な記録メディアＭの枚数を下記に示すｑの値から決定する。
（各撮影コマ画像全体のデータ量／１枚当たりの記録メディアＭの記録容量）＝Ｑ・・（１）
上記の式（１）によって求められるＱの小数点以下を切り上げて求められる整数ｑが記録メディアＭの枚数となる。すなわち、例えば、各撮影コマ画像全体のデータ量が１００ＭＢであり、１枚当たりの記録メディアＭの記録容量（すなわち、最大書き込み可能容量）が６０ＭＢである場合には、上記式（１）に示されるＱの値は約１．６７となるので、ｑの値は２となる。そして、この場合には。記録メディア必要枚数決定部４７において、記録メディアＭの枚数が２枚と決定される。
【００３８】
ステップＳ３では、コマ画像管理部４４は、各撮影コマ画像の画像データに含まれる日付情報（所定の条件）を基にして各撮影コマ画像を複数の記録メディアＭに対応するように振り分ける。より具体的には、コマ画像管理部４４は、上記日付情報が古い画像データから新しい画像データへ順に並べ記憶デバイス４１上に一時的に記憶させる。さらに、コマ画像管理部４４は、記録メディアＭの枚数を参照して、上記振り分けた各撮影コマ画像の数が各記録メディアＭ毎に同じぐらいずつとなるように振り分けて均等化する。
【００３９】
ここで、記録メディアＭの必要枚数が２枚で、各撮影コマ画像に含まれる画像データの上記日付情報が２００６年４月１０日、２００６年４月１２日、２００６年４月２０日である撮影コマ画像がそれぞれ２０枚、５枚、１０枚である場合を例に挙げて説明する。この場合には２００６年４月１０日の撮影コマ画像の画像データが１枚目の記録メディアＭに対応するように振り分けられる。そして、２００６年４月１２日、２００６年４月２０日の撮影コマ画像の画像データが２枚目の記録メディアＭに対応するように振り分けられる。このようにして、コマ画像管理部４４は１枚目と２枚目の記録メディアＭに記録される撮影コマ画像の数がそれぞれ同じぐらいずつとなるように振り分ける。
【００４０】
（なお、本実施形態では、記録メディアＭの枚数が２枚である場合について説明しているが、記録メディアＭの枚数が３枚以上であっても良い。例えば、記録メディアＭの枚数が３枚の場合には、各撮影コマ画像の画像データに含まれる日付情報に基づき各記録メディアＭに撮影コマ画像の数がそれぞれ同じぐらいずつとなるように振り分けて均等化しても良い。この場合にも本実施形態と同様の効果を得ることができる。）
これにより、各記録メディアＭに記録される撮影コマ画像の数がほぼ同じぐらいになるように振り分けて各記録メディアＭ毎の画像データの数のばらつきを解消できる。
【００４１】
ステップＳ４では、ＧＵＩ部４３によって図４に示す撮影コマ画像選択画面７０が表示される。なお、本実施形態では、各撮影コマ画像の画像データに含まれる日付情報が比較的古いものが記録メディア特定名表示枠７３に「Ｎｏ．１」と表示される記録メディアＭに対応するように振り分けられている。また、各撮影コマ画像の画像データに含まれる日付情報が比較的新しいものが記録メディア特定名表示枠７３に「Ｎｏ．２」と表示される記録メディアＭに対応するように振り分けられている。
【００４２】
また、撮影コマ画像選択画面７０では、上記のように撮影コマ画像の画像データに含まれる日付情報が古いものから新しいものへと順に６コマずつ表示するように振り分けられている。すなわち、図４に示すページ表示枠７７に「１／５」と表示される際に表示される撮影コマ画像の画像データの日付情報が最も古い日付の撮影コマ画像である。また、ページ表示枠７７に「５／５」と表示される際に表示される撮影コマ画像の画像データの日付情報が最も新しい日付の撮影コマ画像である。
【００４３】
ステップＳ５では、コマ画像管理部４４は、記録メディアＭへの出力を行なうか否かを判断する。すなわち、図４に示すメディア出力サービス表示枠７６ａにおいて「ＣＤ-Ｒ」あるいは「ＤＶＤ-Ｒ」が選択されている場合には、ステップＳ６においてコマ画像管理部４４は記録装置１００Ｃに対して各撮影コマ画像の画像データを各記録メディアＭへ出力させる。
【００４４】
これにより、各記録メディアＭに対して撮影コマ画像の画像データが均等化して振り分けられる。このため、最後の記録メディアＭに記録される撮影コマ画像の画像データの容量が極端に少なくなるといったことを防止している。
＜写真処理注文受付装置２０の特徴＞
（１）
本実施形態の写真処理注文受付装置２０は、図２に示すように、画像入力部４２と、コマ画像管理部４４と、を備えている。画像入力部４２は、撮影コマ画像の画像データを読み込む。コマ画像管理部４４は、撮影コマ画像に関する情報に基づき、画像入力部４２において読み込まれた撮影コマ画像の画像データを複数の記録メディアＭに対応するように振り分ける。
【００４５】
ここでは、撮影コマ画像の画像データに関する情報に基づき、記録メディアＭに対応するように撮影コマ画像の画像データを振り分けることができる。
これにより、各記録メディアＭに対して、撮影コマ画像の画像データの容量が偏らないように、適切に振り分けることができる。
この結果、従来と比較して、複数の記録メディアＭに記録させる画像データの振り分け方法を改善することができる。
【００４６】
（２）
本実施形態の写真処理注文受付装置２０は、図２に示すように、カラーモニタ２４をさらに備えている。カラーモニタ２４は、コマ画像管理部４４によって振り分けられた撮影コマ画像の画像データを表示する。
これにより、振り分けられた撮影コマ画像の画像データの情報をカラーモニタ２４に表示して、ユーザに撮影コマ画像を確認させることができる。この結果、ユーザが、複数の記録メディアＭに対して、どのように撮影コマ画像の画像データが振り分けられているのかを確認した上で、実際に記録メディアＭに対して上記振り分けを実行するか否かを決定することができる。
【００４７】
（３）
本実施形態の写真処理注文受付装置２０において、複数の記録メディアＭに対して撮影コマ画像の画像データに含まれる日付情報に基づいて画像データの振り分けを行なう。
これにより、複数の記録メディアＭのうち、最後の記録メディアＭに記録される撮影コマ画像の画像データの量が極端に少なくなるといったことを防止している。
【００４８】
（４）
本実施形態の写真処理注文受付装置２０において、コマ画像管理部４４は撮影コマ画像の画像データの数を均等化して振り分ける。
これにより、複数の記録メディアＭに記録される撮影コマ画像の画像データの数を均等化して、複数の記録メディアＭに対応するように上記画像データを振り分ることができる。
【００４９】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態では、コマ画像管理部４４によって振り分けられた撮影コマ画像の画像データを複数の記録メディアＭに記録する記録装置１００Ｃは、写真処理注文受付装置２０とは別に備えられている例を挙げて説明した。しかし、本発明はこれに限定されるものではない。
【００５０】
例えば、写真処理注文受付装置２０において、カードドライブユニット２１（図１参照）にコマ画像管理部４４によって振り分けられた撮影コマ画像の画像データを複数の記録メディアＭに記録する記録装置（記録部）としての機能をさらに備えさせても良い。
この場合にも上記実施形態に係る写真処理注文受付装置２０と同様の効果を得ることができる。
【００５１】
（Ｂ）
上記実施形態では、図５に示すように、ステップＳ３において所定の条件として撮影コマ画像の画像データに含まれる日付情報に基づいて、コマ画像管理部４４が各撮影コマ画像を振り分ける例を挙げて説明した。しかし、本発明はこれに限定されるものではない。
例えば、上記日付情報の代わりに、図６に示すように、ステップＳ１３において撮影コマ画像の画像データに含まれるファイル名に基づいて、コマ画像管理部４４が各撮影コマ画像を振り分けるようにしても良い。より具体的には、ファイル名が同じあるいはファイル名の一部が同じ撮影コマ画像の画像データを１つの記録メディアＭに振り分けるといった方法が考えられる。
【００５２】
この場合には、同じファイル名の撮影コマ画像をできるだけ同じ記録メディアＭへ記録するように振り分けることで、上記実施形態に係る写真処理注文受付装置２０と同様の効果を得ることができる。
（Ｃ）
上記実施形態では、図５に示すように、ステップＳ３において所定の条件として撮影コマ画像の画像データに含まれる日付情報に基づいて、コマ画像管理部４４が各撮影コマ画像を振り分ける例を挙げて説明した。しかし、本発明はこれに限定されるものではない。
【００５３】
例えば、上記日付情報の代わりに、図７に示すように、ステップＳ２３において撮影コマ画像の画像データに含まれるフォルダ名に基づいて、コマ画像管理部４４が各撮影コマ画像を振り分けるようにしても良い。より具体的には、同じフォルダに含まれる撮影コマ画像の画像データを１つの記録メディアＭに振り分けるといった方法が考えられる。
この場合には、同じフォルダに含まれる撮影コマ画像をできるだけ同じ記録メディアＭへ記録するように振り分けることで、上記実施形態に係る写真処理注文受付装置２０と同様の効果を得ることができる。
【００５４】
（Ｄ）
上記他の実施形態（Ｂ）、（Ｃ）では、上記所定の条件としてファイル名、フォルダ名に関する条件を用いる例を挙げて説明した。しかし、本発明はこれに限定されるものではない。
例えば、上記他の実施形態（Ｂ）、（Ｃ）に示した条件を組み合わせて用いても良い。
【００５５】
また、例えば、上記実施形態に示す所定の条件として、撮影コマ画像の画像データに含まれる日付情報と、上記他の実施形態（Ｂ）、（Ｃ）に示す条件とを組み合わせて用いても良い。
これらの場合にも、上記実施形態に係る写真処理注文受付装置２０と同様の効果を得ることができる。
【００５６】
（Ｅ）
上記実施形態では、本発明を写真処理注文受付装置２０として実現した例を挙げて説明した。しかし、本発明はこれに限定されるものではない。
例えば、図５に示すステップＳ１〜Ｓ６のうち少なくとも、ステップＳ１に含まれる撮影コマ画像を読み込む工程と、ステップＳ３に含まれる日付情報を基にして各撮影コマ画像を振り分ける工程と、を有する撮影コマ画像の振り分け方法をコンピュータに実行させる画像処理プログラムとして実現することもできる。
【００５７】
本発明を画像処理プログラムとして実現した場合でも、コンピュータによって所望の画像処理方法が実行されることで、上記実施形態にかかる写真処理注文受付装置２０と同様の効果を得ることができる。
（Ｆ）
上記実施形態では、図５に示すように、ステップＳ３において、コマ画像管理部４４は各記録メディアＭに振り分けた撮影コマ画像の数が同じくらいになるように均等化する例を挙げて説明した。しかし、本発明はこれに限定されるものではない。
【００５８】
例えば、ステップＳ２では、決定される記録メディアＭの枚数の最大値が２枚までとの制約がある場合には、ステップＳ３において、以下のようにコマ画像管理部４４が撮影コマ画像を振り分ける方法も考えられる。より具体的には、ステップＳ３において、コマ画像管理部４４は、全体の撮影コマ画像の画像データのうち記録メディアＭ１枚あたりの書き込み可能容量を超過する画像データの容量が全体の撮影コマ画像の画像データの容量の３０パーセント未満であるか否かを判断する。そして、コマ画像管理部４４は、上記３０パーセント未満の場合についてのみ上記実施形態のように撮影コマ画像の均等化を行なう。これにより、一方の記録メディアＭにほとんどの撮影コマ画像の画像データが記録され、もう一方の記録メディアＭにほとんど撮影コマ画像の画像データが記録されていないということを防止する。
【００５９】
また、上記記録メディアＭに振り分ける撮影コマ画像の画像データを均等化する方法としては以下のような方法もある。
例えば、ステップＳ３において、コマ画像管理部４４は、全体の撮影コマ画像の画像データを均等化せずに順番に３枚以上の記録メディアＭに上記画像データを記録していった場合に、最後の記録メディアＭに記録される上記画像データの容量が所定の容量を超える場合にのみ、上記実施形態のように撮影コマ画像の均等化を行なう。ここで、所定の容量としては、１枚あたりの記録メディアＭの書き込み可能容量の３０パーセント未満の場合等が考えられる。
【００６０】
これらの場合にも、上記実施形態に係る写真処理注文受付装置２０と同様の効果を得ることができる。
（Ｇ）
上記実施形態では、ステップＳ４において、図４に示す撮影コマ画像選択画面７０が表示される。そして、各撮影コマ画像の画像データに含まれる日付情報が比較的古いものが記録メディア特定名表示枠７３に「Ｎｏ．１」と表示される記録メディアＭに対応するように振り分けられている。また、各撮影コマ画像の画像データに含まれる日付情報が比較的新しいものが記録メディア特定名表示枠７３に「Ｎｏ．２」と表示される記録メディアＭに対応するように振り分けられる例を挙げて説明した。しかし、本発明はこれに限定されるものではない。
【００６１】
例えば、撮影コマ画像選択画面７０において、ユーザが任意に選択した撮影コマ画像の画像データを記録する記録メディアＭを任意に変更可能としても良い。より具体的には、記録メディア特定名表示枠７３をユーザがカーソル等によって選択することで撮影コマ画像の画像データを記録する記録メディアＭを変更することができるようにしても良い。
すなわち、記録メディア特定名表示枠７３に「Ｎｏ．１」と表示される記録メディアＭに記録される撮影コマ画像の画像データを「Ｎｏ．２」と表示される記録メディアＭへと変更可能とする。
【００６２】
この場合には、ユーザの意向に沿って撮影コマ画像の画像データを振り分けることができるので、利便性をさらに向上させることができる。
（Ｈ）
上記実施形態では、写真処理注文受付装置２０はカラーモニタ２４を備えている例を挙げて説明した。しかし、本発明はこれに限定されるものではない。
【００６３】
例えば、ユーザが撮影コマ画像の画像データを確認する必要がない場合には、カラーモニタ２４は設けなくても良い。
この場合にも、上記実施形態に係る写真処理注文受付装置２０と同様の効果を得ることができる。
（Ｉ）
上記実施形態では、本発明に係る画像処理装置が写真処理注文受付装置２０である例を挙げて説明した。しかし、本発明はこれに限定されるものではない。
【００６４】
例えば、写真プリント装置やパソコンに上記実施形態に係る画像処理装置と同様の機能を備えさせても良い。
この場合にも、上記実施形態に係る写真処理注文受付装置２０と同様の効果を得ることができる。
（Ｊ）
上記実施形態では、図５に示すように、ステップＳ３において、振り分けた各撮影コマ画像の数が記録メディアＭ毎に同じぐらいずつとなるようにする例を挙げて説明した。しかし、本発明はこれに限定されるものではない。
【００６５】
例えば、各撮影コマ画像の数が記録メディアＭ毎に同じぐらいずつとなるようにする代わりに、撮影コマ画像の画像データの容量が記録メディアＭ毎に同じぐらいずつとなるようにしても良い。
この場合にも、上記実施形態に係る写真処理注文受付装置２０と同様の効果を得ることができる。
【００６６】
（Ｋ）
上記実施形態では、図５に示すように、ステップＳ３において所定の条件として撮影コマ画像の画像データに含まれる日付情報に基づいて、コマ画像管理部４４が各撮影コマ画像を振り分ける例を挙げて説明した。しかし、本発明はこれに限定されるものではない。
例えば、図５に示すステップＳ３において上記日付情報の代わりに、各撮影コマ画像の画像データの数あるいは容量が略均等となるように、コマ画像管理部４４が各撮影コマ画像を振り分けても良い。
【００６７】
この場合にも、上記実施形態に係る写真処理注文受付装置２０と同様の効果を得ることができる。
【産業上の利用可能性】
【００６８】
本発明の画像処理装置は、画像データに関する所定の条件に基づき、読み込まれた画像データを複数の記録メディアに対応するように振り分けるという効果を奏することから、画像処理装置および画像処理プログラムに対して広く適用可能である。
【図面の簡単な説明】
【００６９】
【図１】本発明による写真処理システムの一例を示す外観模式図。
【図２】写真処理注文受付装置のコントローラの構成を示す模式図。
【図３】写真処理注文受付装置のコントローラに構築された本発明に関する機能を説明する機能ブロック図。
【図４】撮影コマ画像選択画面の一例を示すモニタ画面図。
【図５】各撮影コマ画像の振り分け方法を示すフローチャート。
【図６】他の実施形態（Ｂ）における各撮影コマ画像の振り分け方法を示すフローチャート。
【図７】他の実施形態（Ｃ）における各撮影コマ画像の振り分け方法を示すフローチャート。
【符号の説明】
【００７０】
２０    写真処理注文受付装置（画像処理装置）
２４    カラーモニタ（表示部）
４２    画像入力部（データ入力部）
４３    ＧＵＩ部
４４    コマ画像管理部（振り分け部）
４５    画像処理部
４６    データ量算出部
４７    記録メディア必要枚数決定部
Ｍ    記録メディア
Ｓ    ステップ
【図１】
2008172684.tif 000003
【図２】
2008172684.tif 000004
【図３】
2008172684.tif 000005
【図４】
2008172684.tif 000006
【図５】
2008172684.tif 000007
【図６】
2008172684.tif 000008
【図７】
2008172684.tif 000009